(57)【特許請求の範囲】
【請求項１】
対象面側に貼付される粘着面と、非粘着面とを有するシート状の湿布体の非粘着面側を一時的に保持する湿布保持面が設けられた板状の基板と、
前記基板を使用者が保持するための基板保持部とを備え、
前記湿布保持面は、前記湿布体の粘着面よりも弱い接着力で前記湿布体の非粘着面を接着する仮貼りができるように構成され、
前記湿布体の非粘着面の前記湿布保持面への仮貼り作業を補助する補助具を設け、
前記補助具は、前記湿布体の粘着面が一時的に接着される仮貼補助面が形成され、
前記補助具は、前記基板と別体で構成し、前記湿布体の非粘着面を前記湿布保持面へ接着させた後に前記湿布体の粘着面から剥すことにより、前記粘着面を露出させた状態で前記湿布体の非粘着面を前記湿布保持面に仮貼りすることができるように構成された
湿布体の貼付補助具。
【請求項２】
対象面側に貼付される粘着面と、非粘着面とを有するシート状の湿布体の非粘着面側を一時的に保持する湿布保持面が設けられた板状の基板と、
前記基板を使用者が保持するための基板保持部とを備え、
前記湿布保持面は、前記湿布体の粘着面よりも弱い接着力で前記湿布体の非粘着面を接着する仮貼りができるように構成され、
前記湿布体の非粘着面の前記湿布保持面への仮貼り作業を補助する補助具を設け、
前記補助具は、前記湿布体の粘着面が一時的に接着される仮貼補助面が形成され、
前記基板保持部は、板状の前記基板の端部側同士を架渡すように設けられた帯状に形成され、前記基板の前記湿布保持面と反対側の面との間に使用者の手を差込むことのできるスペースが形成され、
前記基板保持部は、方形状の前記基板の長辺同士を架渡すことにより短辺よりも幅広な帯状に形成され、
前記基板保持部の一端側に、使用者の手を差込むことができる保持孔が形成された
湿布体の貼付補助具。
【請求項３】
前記仮貼補助面は、該仮貼補助面と前記湿布体の粘着面との間の接着力が、前記湿布保持面と前記湿布体の非粘着面との間の接着力よりも弱くなるように構成された
請求項１又は２に記載の湿布体の貼付補助具。
【請求項４】
前記仮貼補助面は、前記湿布体の粘着面が剥離可能に接着するための凹凸が形成された
請求項１乃至３の何れかに記載の湿布体の貼付補助具。
【請求項５】
前記仮貼補助面は、シート状のメッシュ体と、該メッシュ体を支持する支持面とにより構成された
請求項１乃至４の何れかに記載の湿布体の貼付補助具。
【請求項６】
前記湿布保持面は、前記湿布体の非粘着面の形状に沿った枠状の突設部が形成され、枠状の前記突設部の内側に前記湿布体の非粘着面を着脱可能に仮貼りするテープ状の接着部が設けられた
請求項１乃至５の何れかに記載の湿布体の貼付補助具。
【請求項７】
前記接着部は、前記突設部の内側に格子状に配置された
請求項６に記載の湿布体の貼付補助具。
【発明の詳細な説明】
【技術分野】
【０００１】
本発明は、身体の一部である対象箇所に湿布体を貼付することを補助する湿布体の貼付補助具に関する。
【背景技術】
【０００２】
対象面側に貼付される粘着面と、布状の非粘着面とを有するシート状の湿布体の非粘着面側を一時的に保持する湿布保持面が設けられた板状の基板と、前記基板を使用者が保持するための基板保持部とを備え、前記湿布保持面は、前記湿布体の粘着面よりも弱い接着力で前記湿布体の非粘着面を仮貼りできるように構成され、使用者は、前記基板保持部を介して粘着面が露出した状態の前記湿布体を保持することができる特許文献１に記載の湿布体の貼付補助具が従来公知である。
【先行技術文献】
【特許文献】
【０００３】
【特許文献１】実用新案登録第３１４７８２４号公報
【発明の概要】
【発明が解決しようとする課題】
【０００４】
上記文献では、使用者は、前記基板保持部と前記湿布保持面を介して粘着面が露出した状態の前記湿布体を保持することにより、前記湿布体を身体の一部である対象面側に貼付し易くなるとともに、前記湿布体を対象面側に貼付した後は、前記湿布体を前記湿布保持面からスムーズに剥すことができるものである。
【０００５】
しかし、前記湿布体の粘着面には、通常透明のフィルタが貼付されており、該湿布体を使用する直前にフィルタを粘着面から剥す必要があるところ、上記構成の湿布体の貼付補助具は、前記湿布保持面に透明のフィルタを剥した状態で前記湿布体を仮貼りすることも、前記湿布保持面に前記湿布体を仮貼りした状態で粘着面から透明のフィルタを剥すことも簡単ではなく、準備段階の作業性に問題があるという課題があった。
【０００６】
本発明は、対象面側への湿布体の貼付作業を補助する湿布体の貼付補助具において、前記湿布体の非粘着面を前記湿布保持面に着脱可能に接着させる仮貼り作業をよりスムーズにすることができる湿布体の貼付補助具を提供することを課題としている。
【課題を解決するための手段】
【０００７】
上記課題を解決するため、第１に、対象面側に貼付される粘着面と、布状の非粘着面とを有するシート状の湿布体の非粘着面側が一時的に接着される湿布保持面を有する板状の基板と、前記基板を使用者が保持するための基板保持部とを備え、前記湿布保持面は、前記湿布体の粘着面よりも弱い接着力で前記湿布体の非粘着面を仮貼りできるように構成され、前記湿布体の非粘着面の前記湿布保持面への仮貼り作業を補助する補助具を設け、前記補助具は、前記湿布体の粘着面が一時的に接着される仮貼補助面が形成され、前記補助具は、前記基板と別体で構成し、前記湿布体の非粘着面を前記湿布保持面へ接着させた後に前記湿布体の粘着面から剥すことにより、前記粘着面を露出させた状態で前記湿布体の非粘着面を前記湿布保持面に仮貼りすることができるように構成されたことを特徴としている。
【０００８】
第２に、対象面側に貼付される粘着面と、非粘着面とを有するシート状の湿布体の非粘着面側を一時的に保持する湿布保持面が設けられた板状の基板と、前記基板を使用者が保持するための基板保持部とを備え、前記湿布保持面は、前記湿布体の粘着面よりも弱い接着力で前記湿布体の非粘着面を接着する仮貼りができるように構成され、前記湿布体の非粘着面の前記湿布保持面への仮貼り作業を補助する補助具を設け、前記補助具は、前記湿布体の粘着面が一時的に接着される仮貼補助面が形成され、前記基板保持部は、板状の前記基板の端部側同士を架渡すように設けられた帯状に形成され、前記基板の前記湿布保持面と反対側の面との間に使用者の手を差込むことのできるスペースが形成され、前記基板保持部は、方形状の前記基板の長辺同士を架渡すことにより短辺よりも幅広な帯状に形成され、前記基板保持部の一端側に、使用者の手を差込むことができる保持孔が形成されたことを特徴としている。
【０００９】
第３に、前記仮貼補助面は、該仮貼補助面と前記湿布体の粘着面との間の接着力が、前記湿布保持面と前記湿布体の非粘着面との間の接着力よりも弱くなるように構成されたことを特徴としている。
【００１０】
第４に、前記仮貼補助面は、前記湿布体の粘着面が剥離可能に接着するための凹凸が形成されたことを特徴としている。
【００１１】
第５に、前記仮貼補助面は、シート状のメッシュ体と、該メッシュ体を支持する支持面とにより構成されたことを特徴としている。
【００１２】
第６に、前記湿布保持面は、前記湿布体の非粘着面の形状に沿った枠状の突設部が形成され、枠状の前記突設部の内側に前記湿布体の非粘着面を着脱可能に仮貼りするテープ状の接着部が設けられたことを特徴としている。
【００１３】
第７に、前記接着部は、前記突設部の内側に格子状に配置されたことを特徴としている。
【発明の効果】
【００１４】
前記補助具は、前記湿布体の粘着面が一時的に接着される仮貼補助面が形成されたことにより、使用者は、前記仮貼補助面により前記湿布の粘着面を覆って隠した状態で、前記湿布の非粘着面側を前記基板の湿布保持面側に仮貼りすることができるため、前記仮貼り作業の作業性が格段に向上する。
【００１５】
また、前記仮貼補助面は、該仮貼補助面と前記湿布体の粘着面との間の接着力が、前記湿布保持面と前記湿布体の非粘着面との間の接着力よりも弱くなるように構成されたものによれば、前記湿布保持面に前記湿布を仮貼りした後に、前記湿布の粘着面から前記補助具をスムーズに取外すことができる。
【００１６】
また、前記仮貼補助面は、前記湿布体の粘着面が剥離可能に接着するための凹凸が形成されたものによれば、前記湿布保持面に前記湿布体を仮貼りした後に、前記湿布面の粘着面から前記仮貼補助面をスムーズに剥すことができる。
【００１７】
また、前記仮貼補助面は、シート状のメッシュ体と、該メッシュ体を支持する支持面とにより構成されたものによれば、簡易且つ安価な構成で前記仮貼補助面を形成できるとともに、該メッシュ体の目の粗さを変更することにより、前記湿布体の粘着面の前記仮貼補助面への粘着力の調整・変更を容易に行うことができる。
【００１８】
また、前記基板保持部は、板状の前記基板の端部側同士を架渡すように設けられた円弧状の帯状の保持体を有し、前記基板の前記湿布保持面と反対側の面と、前記保持体との間に使用者の手を差込むことのできるスペースが形成されたものによれば、簡易且つ低コストな構成で前記基板が保持できるとともに、使用者は、前記湿布体を手の平に固定する感覚で保持できるため、前記湿布体の対象面側への貼付作業の作業性が向上する。
【００１９】
また、前記保持体は、長方形状の前記基板の長辺同士を架渡すことにより短辺よりも幅広な帯状に形成され、前記保持体の一端側に、使用者の手を差込むことができる保持孔が形成されたものによれば、使用者の手を円弧状の前記保持体と前記基板との間にスペースに差込むことにより、使用者の手の指の方向に前記湿布体の長手方向を沿わせた向きで前記湿布体を保持できる一方で、使用者の手を前記保持孔に差込むことにより、使用者の手の指の方向に前記湿布体の長手方向を直交させた向きで前記湿布体を保持できるため、前記湿布体を貼付する作業性・汎用性が向上する。
【００２０】
また、前記湿布保持面は、前記湿布体の非粘着面の形状に沿った枠状の突設部が形成され、枠状の前記突設部の内側に前記湿布体の非粘着面を着脱可能に仮貼りするテープ状の接着部が設けられたものによれば、前記湿布体を対象面側に貼付した後に、前記湿布保持面に仮貼りされた前記湿布体の非粘着面をスムーズ且つきれいに剥し易くなる。
【００２１】
なお、前記接着部は、前記突設部の内側に格子状に配置されたものによれば、前記接着部を設ける密度を調整することによって前記湿布保持面によって前記湿布体を仮貼りする接着力を容易に調整できるため、例えば非接着面の素材が異なる湿布体を使用する場合であっても、前記湿布保持面による仮貼りに適した接着力となるように容易に変更・調整できるため、汎用性が向上する。
【図面の簡単な説明】
【００２２】
【図１】本体部を示した全体斜視図である。
【図２】（Ａ）及び（Ｂ）は、本体部を示したＡ−Ａ断面図である。
【図３】本体部を示した底面図である。
【図４】仮貼補助具を示した図である。
【図５】（Ａ）は、別実施例１の仮貼補助面の示した要部斜視図であり、（Ｂ）及び（Ｃ）は、別実施例２の仮貼補助面を示した要部平面図及びＢ−Ｂ断面図である。
【図６】（Ａ）乃至（Ｄ）は、湿布保持面への湿布の仮貼り作業を示した図である。
【図７】（Ａ）乃至（Ｃ）は、本体部を用いた対象面への湿布の貼付作業を示した図である。
【発明を実施するための形態】
【００２３】
図１乃至４に基づき、本発明の湿布体の貼付補助具の実施例について説明する。図１は、本体部を示した全体斜視図であり、図２は、本体部を示したＡ−Ａ断面図であり、図３は、本体部を示した底面図であり、図４は、仮貼補助具を示した図である。図１乃至４に示されるように、本発明の湿布体の貼付補助具は、薬剤等を含んだ粘着面１Ａと、布状の非粘着面１Ｂとを有するシート状の湿布（湿布体）１を、身体の一部である対象面側に貼付する作業を補助する本体部２と、該本体部２に前記湿布を仮貼りする作業を補助する仮貼補助具（補助具）３とを備えている。
【００２４】
前記本体部２は、図１乃至３に示されるように、湿布の形状に合わせて長方形に形成された板状部材である基板６と、使用者が前記基板６を片手で保持するための基板保持部７とを備えている。
【００２５】
前記基板６は、一方側の面（下面）に前記湿布の非粘着面側を着脱可能に接着して一時的に保持（以下、仮貼り）することができる湿布保持面８が形成されており、該湿布保持面８には、前記湿布の外形に沿って枠状に形成された突設部９と、枠状の前記突設部９の内側に設けられて前記湿布の非粘着面側を着脱可能に接着（仮貼り）する接着部１１とから構成されている（図２及び図３参照）。
【００２６】
上記接着部１１は、通常、布状、又や不織布状の部材で形成された前記湿布の非粘着面１Ｂ側と着脱可能な両面テープや、面ファスナー等であって、前記突設部９により構成される枠の内側の面に格子状に設けられている（図３参照）。なお、前記接着部１１の配列パターンは格子状には限られない。
【００２７】
該構成によれば、前記湿布保持面８は、前記接着部１１の接着力により前記湿布の非粘着面１Ｂを仮貼りされることによって、前記湿布１を適度な接着力にて一時的に保持することができる。また、該構成によれば、湿布の製品によって非粘着面１Ｂ側の素材が異なる場合であっても、テープ状の接着部１１の幅を変更したり、格子状に配置した接着部１１の密度を変更・調整したりすることによって、前記湿布保持面８に前記湿布を仮貼りする際の接着力を容易に調整できる。
【００２８】
ちなみに、前記湿布保持面８は、該湿布保持面８に前記湿布の非粘着面１Ｂを仮貼りした際の接着力が、前記湿布の粘着面１Ａを人肌等の対象面側に接着させた際の接着力よりも弱くなるように構成されている。
【００２９】
これにより、粘着面１Ａを露出させた状態の前記湿布１を前記湿布保持面８に仮貼りした状態の前記本体部２を用いて、前記湿布１を人肌等の対象面に貼付した後、使用者は、対象面に貼付された前記湿布の非粘着面１Ｂから、前記本体部２をスムーズに取外す（剥す）ことができる。前記本体部２の具体的な使用方法については後述する。
【００３０】
上記突設部９は、前記湿布保持面８の外縁側に設けられた枠状の突起であって、前記湿布１の外周側と略同程度の大きさに構成されている（図２及び図３参照）。これにより、前記湿布保持面８に前記湿布の非粘着面１Ｂを仮貼りした場合に、前記湿布の周縁側だけは、前記突起部９により湿布保持面側に接着することが規制され、該湿布保持面８から浮いた状態で仮貼りされるように構成されている。
【００３１】
該構成によれば、前記本体部２（湿布保持面８）に前記湿布の非粘着面１Ｂを仮貼りした状態で、前記湿布の粘着面１Ａを人肌等の対象面側に貼付する際に、前記湿布の中心側から前記突起部９側（湿布の周縁側）に向けて空気を押出すように貼ることにより、前記湿布と前記対象面との間に入り込む空気を湿布の外に押出す際の逃げ道を最後まで残し易くなる。このため、前記湿布を対象面側との間に空気を残すことなく綺麗に貼付することができるようになる。
【００３２】
また、前記突起部９によれば、前記湿布の非粘着面１Ｂと前記本体部２（湿布保持面８）の外周縁側との仮貼り（接着）を規制することができるため、前記湿布を対象面側に貼付した後に、前記湿布を対象面側に残したまま前記本体部２のみを前記湿布の非粘着面１Ｂから剥す作業をよりスムーズに行うことができる。
【００３３】
また、上述の前記基板６は、伸縮・変形可能で且つ、変形した後も形状が元に戻って型崩れし難い形状記憶ポリマー等の素材によって構成されており、前記湿布保持面も前記対象面の形状に合わせて湾曲させることが容易に構成されている。これにより、対象面が曲面であっても該対象面に応じて前記基板を曲げることができるため、前記湿布をスムーズに貼付することができる。
【００３４】
前記基板保持部７は、前記基板の長手方向の端部同士の間を連結するように円弧状に屈曲形成され、前記基板６の長手方向と略同程度の幅を有する帯状部材であって、一方側の端部に使用者の手を差込むことができる程度の補助保持孔（保持孔）１２と、該補助保持孔１２を開閉する開閉フラップ（開閉部）１３が形成されており、該基板保持部７の外周側には、前記補助保持孔１２が穿設された補強カバー（以下、単にカバー体）１４が取付けられている（図１及び図２参照）。
【００３５】
該基板保持部７は、前記基板６の前記湿布保持面８と反対側の面を架渡すように構成されることにより、前記基板６の前記湿布保持面８の反対側の面と該基板保持部７との間に、使用者の手を差込むことができる半円柱状のスペースである本体保持孔１６を形成することができる。
【００３６】
該構成によれば、前記基板６側に手の平を向けた（前記基板保持部７側に手の甲を向けた）状態で、使用者の手を前記保持孔１６に差込むことにより、前記基板６（湿布保持面８に仮貼りした前記湿布）を使用者の手の平に載せるような（添わせるような）感覚で前記本体部２を保持することができる。
【００３７】
上記補助保持孔１２は、前記基板保持部７の一端側である前記基端近傍に設けられており、使用者の手を差込むことができるように前記基板６の長手方向に沿った長孔状に形成されている（図１参照）。
【００３８】
該補助保持孔１２は、図示する例では、前記基板保持部７の一端側に設けられた前記カバー体１４に穿設されており、前記基板保持部７側に形成した前記開閉フラップ１３によって開閉可能に構成されている（図１及び図２参照）。
【００３９】
上記開閉フラップ１３は、帯状部材である前記基板保持部７の一端側にコ字状の切込みを入れることにより形成されており、前記基板６と同様に外力によって変形が容易で、外力を解くことにより元の形状に戻る素材を用いて構成されている。
【００４０】
これにより、前記開閉フラップ１３は、通常は前記補助保持孔１２を閉じた閉姿勢で保持されているが（図２（Ａ）参照）、使用者が前記補助保持孔１２を介して前記開閉フラップ１３を押込むように手を差込むことにより該開閉フラップ１３がスムーズに開状態に切換えられるように構成されている。また、使用者が前記補助保持孔１２から手を抜くことにより、前記開閉フラップ１３が自動的に閉姿勢に戻るように構成されている。
【００４１】
上記カバー体１４は、前記開閉フラップ１３よりも一回り大きく形成されており、該上記カバー体１４に形成された前記補助保持孔１２は、使用者の手の平のすべてか、少なくとも、親指を除く指４本を差込むことができるよう大きさに形成されている。
【００４２】
上述の構成によれば、使用者は、前記本体保持部７によって形成される前記本体保持孔１６に手を差込むことにより、前記本体部２に仮貼りされた前記湿布を、長手方向を使用者の指の方向に沿わせた向きで保持することができる一方で、前記カバー体１３側の前記補助保持孔１２に手を差込むことにより、前記本体部２に仮貼りされた前記湿布を、長手方向を使用者の指の方向に直交させた向きで保持することができる。
【００４３】
すなわち、前記本体保持部７によれば、前記本体部２を介して仮貼りされた前記湿布１を保持する際に、使用者の手の指の方向に対する前記湿布１の向きを用途に合わせて変更することができるため、汎用性がより向上する。
【００４４】
また、前記補助保持孔１２は、使用されない状態、言い換えると、使用者が前記本体保持孔１６側に手を差込む場合には、該補助保持孔１２が前記開閉フラップ１３によって閉じられているため、前記補助保持孔１２の存在によって、前記本体部２の使用感が損なわれることを防止することができる。
【００４５】
次に、図４に基づき、前記仮貼補助具の構成について説明する。図示されるように、前記仮貼補助具３は、前記湿布の粘着面１Ａ側が着脱可能に接着される仮貼補助面２１が形成されており、該仮貼補助面２１は、前記湿布１（の粘着面）より一回り大きく形成されたシート状のメッシュ部材２２を、シート状の支持体２３に貼付するようにして取付固定することにより形成されている。
【００４６】
このとき、前記支持体２３の前記メッシュ部材２２が配置される側の表面は、凹凸がなく前記湿布の粘着面が接着し難い素材を用いることが好ましい。
【００４７】
該構成により、前記仮貼補助面２１は、シート状の前記メッシュ部材２２と、前記支持体２３とによって、その表面に細かい凹凸が形成されることにより、前記湿布の粘着面１Ａが接着された際に、前記仮貼補助面２１と前記湿布の粘着面１Ａとの接触面積が非常に小さくなる。このため、前記湿布の粘着面１Ａ側は、容易に再離脱可能な接着力で前記仮貼補助面２１側に貼り付けることができる。
【００４８】
このとき、前記仮貼補助面２１（メッシュ部材２２）は、前記湿布よりも若干（図示する例では５〜１０ｍｍ程度）大きく形成されることにより、前記湿布の粘着面１Ａの前記仮貼補助面２１への接着作業をスムーズに行うことができる。
【００４９】
ちなみに、前記仮貼補助面２１は、該仮貼補助面２１に前記湿布の粘着面１Ａを接着した際の接着力が、前記湿布の非粘着面１Ｂを前記湿布保持面８に仮貼りした際の接着力よりも弱くなるように構成されている。
【００５０】
これにより、前記仮貼補助面２１に前記湿布の粘着面１Ａを接着させることにより、該粘着面１Ａを露出させない状態で、前記湿布の非粘着面１Ｂを前記湿布保持面８側に仮貼りする仮貼り作業を行うことができるため、仮貼り作業の作業性が向上する。さらに、前記仮貼り作業が完了した後に、前記湿布の粘着面１Ａ側から前記仮貼補助具３をスムーズに取外す（剥す）ことができる。
【００５１】
すなわち、前記仮貼補助具３を用いることにより、通常の製品において前記湿布の粘着面側に接着されている透明の剥離シート（図示しない）を予め剥し、粘着面を露出させた状態の前記湿布の非粘着面１Ｂ側を、前記本体部２の湿布保持面８側に接着させる仮貼り作業をスムーズ且つ容易に行うことができる。
【００５２】
より具体的に説明すると、前記仮貼補助具３を用いることにより、前記湿布の非粘着面１Ｂを前記本体部２（湿布保持面８）側に仮貼りした後に、通常の製品の前記湿布の粘着面側に接着されている透明の剥離シートを剥そうとすると、粘着面１Ａと剥離シートとの間の接着力が強いため、該剥離シートを剥した拍子に前記湿布の非粘着面１Ｂが前記湿布保持部８から外れ易いという課題や、前記剥離シートを剥した状態で前記湿布の非粘着面を前記湿布保持面に仮貼りしようとすると、露出した粘着面が手に接着する等して仮貼り作業が困難となるという課題を解決することができる。前記仮貼補助具３の具体的な使用方法については後述する。
【００５３】
次に、図５に基づき、前記仮貼補助面の別実施例について説明する。図５（Ａ）は、別実施例１の仮貼補助面の示した要部斜視図であり、図５（Ｂ）及び（Ｃ）は、別実施例２の仮貼補助面を示した要部平面図及びＢ−Ｂ断面図である。
【００５４】
前記仮貼補助具３は、前記仮貼補助面２１と前記湿布の粘着面１Ａとの間の接触面積が小さくなるように構成されたものであれば良く、上述のようにメッシュ部材２２を設けたことにより仮貼補助面２１に凹凸面を形成したものには限られない。例えば、前記仮貼補助面２１の表面にドット体（図示する例では円柱状の突起）２６を並べて配置した構成（図５（Ａ）参照）であっても、表面に沿って設けた三角柱状の突起体２７を格子状に配置した構成（図５（Ｂ）及び（Ｃ）参照）であっても良い。なお、前記仮貼補助面２１は、前記湿布の粘着面１Ａと再接着可能なように弱い接着力で接着される形状であれば上述のものにも限られない。
【００５５】
また、該仮貼補助面２１は、シート状部材の表面に凹凸を形成する部材を印刷することによって形成しても良い。さらに、該仮貼補助面２１は、粘着力のない凹部と、前記粘着面１Ａと接着される凸部による凹凸に限られず、凸部側に粘着力がなく、凹部側が粘着面１Ａと接着することにより、湿布の粘着面１Ａ側に接着されるように構成しても良い。
【００５６】
次に、図６及び図７に基づき、上述の湿布の貼付補助具の使い方について説明する。図６（Ａ）乃至（Ｄ）は、湿布保持面への湿布の仮貼り作業を示した図である。
【００５７】
上述の仮貼り作業は、まず、剥離シート（図示しない）が剥されて粘着面１Ａが露出した状態の湿布１を用意し、該粘着面１Ａに前記仮貼補助具３の仮貼補助面２１を一時的に接着させ、前記湿布の粘着面１Aを覆う（図６（Ａ）参照）。
【００５８】
続いて、前記仮貼補助具３が取付けられた状態の前記湿布の非粘着面１Ｂ側を、前記本体部２の前記湿布保持面８側に着脱可能に接着させる仮貼り作業を実行する（図６（Ｂ）参照）。これにより、使用者は、湿布の粘着面１Ａの粘着力を気にすることなく、湿布の非粘着面１Ｂを前記湿布保持面８側へ貼り付けることができるため、仮貼り作業を容易且つスムーズに行うことができる。
【００５９】
続いて、前記本体部２側に前記湿布が仮張りされた湿布の粘着面１Ａ側から、前記仮貼補助具３（仮貼補助面２１）を剥す（図６（Ｃ）参照）。このとき、上述の前記仮貼補助面２１と湿布の粘着面１Ａとの間の接着力が、前記湿布保持面８と湿布の非粘着面１Ｂとの間の接着力より弱いため、前記仮貼補助具３を前記湿布の粘着面１Ａ側からスムーズに取外すことができる。そのため、ここからは、使用者は、前記本体保持孔１６又は、補助保持孔１２に手を差込んだ状態で作業を行うことができる。
【００６０】
以上により、前記仮貼補助具３を用いることにより、湿布の粘着面１Ａを露出させた状態で、前記本体部２（湿布保持面８）に前記湿布の非粘着面１Ｂを着脱可能な状態で接着する仮貼り作業をスムーズに行うことができる（図６（Ｄ）参照）。
【００６１】
図７（Ａ）乃至（Ｃ）は、本体部を用いた対象面への湿布の貼付作業を示した図である。上述の例により、使用者は、前記本体保持孔１６又は補助保持孔１２に手を差込んだ状態で、湿布が仮貼りされた前記本体部２を保持することにより、前記湿布保持面８を介して、手の平に粘着面１Ａを露出した状態の前記湿布を保持することができるため、対象面（自身の身体に湿布を貼る患部）Ｘに手の平を載せる感覚で、前記湿布を対象面Ｘに貼付する（図７（Ａ）参照）。
【００６２】
続いて、使用者は、前記保持体２を保持した状態で、手を対象面Ｘから離すことにより、自然と前記湿布の非粘着面１Ｂから前記湿布保持面８が離脱する（図７（Ｂ）参照）。以上により、対象面Ｘに湿布を貼ることができる（図７（Ｃ）参照）。
【００６３】
上述の構成によれば、使用者は、前記湿布が仮貼りされた前記本体部２を用いることにより、首筋、肩、背中、腰、太腿、脹脛など手の届く範囲内であれば、前記湿布を簡単且つキレイに貼ることができる。なお、前記本体部２によれば、通常のサイズ（湿布保持面８と同程度のサイズ）の湿布の他、約半分の大きさに形成された湿布であっても同様に使用することができる。
【符号の説明】
【００６４】
１    湿布（湿布体）
１Ａ  粘着面
１Ｂ  非粘着面
３    仮貼補助具（補助具）
６    基板
７    基板保持部
８    湿布保持面
９    突設部
１１    接着部
１２    補助保持孔（保持孔）
２２    メッシュ部材（メッシュ体）
２３    支持体
【要約】
【課題】対象面側への湿布体の貼付作業を補助する湿布体の貼付補助具において、前記湿布体の非粘着面を前記湿布保持面に着脱可能に接着させる仮貼り作業をよりスムーズにすることができる湿布体の貼付補助具を提供することを課題としている。
【解決手段】対象面側に貼付される粘着面と、布状の非粘着面とを有するシート状の湿布体の非粘着面側を一時的に保持する湿布保持面が形成された板状の基板と、前記基板を使用者が保持するための基板保持部とを備え、前記湿布保持面は、前記湿布体の粘着面よりも弱い接着力で前記湿布体の非粘着面を仮貼りできるように構成され、前記湿布体の非粘着面の前記湿布保持面への仮貼り作業を補助する補助具を設け、前記補助具は、前記湿布体の粘着面が一時的に接着される仮貼補助面が形成された。
【選択図】図６【図１】
0006923234.tif 000002
【図２】
0006923234.tif 000003
【図３】
0006923234.tif 000004
【図４】
0006923234.tif 000005
【図５】
0006923234.tif 000006
【図６】
0006923234.tif 000007
【図７】
0006923234.tif 000008